【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
通信システムにおいて制御チャネルを復号する方法であって、
ユーザ装置（ＵＥ）によって、干渉基地局によって送信される前記制御チャネルに関連する制御チャネル限定条件を決定することと、ここにおいて、前記制御チャネル限定条件に関する限定情報は、前記ＵＥのサービング基地局によってブロードキャストされ、前記限定情報は、制御チャネル限定タイプを示し、前記制御チャネル限定条件は、前記少なくとも１つのサブフレーム中の非連続的な制御チャネル要素（ＣＣＥ）への前記制御チャネルのスケーリングに対する限定を含み、前記非連続的なＣＣＥ内の未使用のＣＣＥによって形成されるギャップが、前記制御チャネルに関連するアグリゲーションレベルを示すように構成される、
前記干渉基地局から受信された信号中の、前記制御チャネル限定条件に合致する少なくとも１つのサブフレームを識別することと、
前記干渉基地局によって送信された制御チャネルを検出するために、前記少なくとも１つのサブフレームを復号することと、前記復号することは、前記制御チャネル限定タイプに少なくとも部分的に合致する、
前記干渉基地局によって送信された前記復号された制御チャネルに基づいて、前記ＵＥにおいて前記サービング基地局から受信される送信に対して干渉抑制を実行することと、
を備える、方法。
【請求項２】
前記制御チャネル限定条件はさらに、前記少なくとも１つのサブフレーム中の制御チャネル送信の数に対する限定を含む、請求項１に記載の方法。
【請求項３】
前記制御チャネル限定条件はさらに、少なくとも１つのダウンリンク制御情報（ＤＣＩ）フォーマットのダウンリンクグラントの数に対する限定を含む、請求項１に記載の方法。
【請求項４】
前記制御チャネル限定条件はさらに、前記制御チャネルに関連するアグリゲーションレベルの限定を含む、請求項１に記載の方法。
【請求項５】
前記制御チャネル限定条件はさらに、前記制御チャネルに関連する検索空間に対する限定を含み、前記検索空間は、前記サービングおよび隣接しているネットワークエンティティによって決定されるオーバーラップしていない制御チャネル要素（ＣＣＥ）のセットを備える、請求項１に記載の方法。
【請求項６】
前記復号することは、前記制御チャネル限定条件に基づいて、前記隣接している基地局に関連する前記制御チャネルをブラインド復号することを含む、請求項１に記載の方法。
【請求項７】
前記制御チャネルは物理ダウンリンク制御チャネル（ＰＤＣＣＨ）に対応する、請求項１に記載の方法。
【請求項８】
制御チャネルを復号するためのユーザ装置（ＵＥ）の装置であって、
干渉基地局によって送信される前記制御チャネルに関連する制御チャネル限定条件を決定するように構成される復号コンポーネントと、ここにおいて、前記制御チャネル限定条件に関する限定情報は、前記ＵＥのサービング基地局によってブロードキャストされ、前記限定情報は、制御チャネル限定タイプを示し、前記制御チャネル限定条件は、前記少なくとも１つのサブフレーム中の非連続的な制御チャネル要素（ＣＣＥ）への前記制御チャネルのスケーリングに対する限定を含み、前記非連続的なＣＣＥ内の未使用のＣＣＥによって形成されるギャップが、前記制御チャネルに関連するアグリゲーションレベルを示すように構成される、
前記干渉基地局から受信された信号中の、前記制御チャネル限定条件に合致する少なくとも１つのサブフレームを識別するように構成される識別コンポーネントと、ここにおいて、前記復号コンポーネントはさらに、前記干渉基地局によって送信された制御チャネルを検出するために、前記少なくとも１つのサブフレームを復号するように構成され、前記復号することは、前記制御チャネル限定タイプに少なくとも部分的に合致する、
を備える、装置。
【請求項９】
前記制御チャネル限定条件はさらに、前記少なくとも１つのサブフレーム中の制御チャネル送信の数に対する限定を含む、請求項８に記載の装置。
【請求項１０】
前記制御チャネル限定条件はさらに、少なくとも１つのダウンリンク制御情報（ＤＣＩ）フォーマットのダウンリンクグラントの数および前記制御チャネルに関連するアグリゲーションレベルのうちの一方または両方に対する限定を含む、請求項８に記載の装置。
【請求項１１】
前記制御チャネル限定条件はさらに、前記制御チャネルに関連する検索空間に対する限定を含み、前記検索空間は、前記サービングおよび隣接しているネットワークエンティティによって決定されたオーバーラップしていない制御チャネル要素（ＣＣＥ）のセットを備える、請求項８に記載の装置。
【請求項１２】
干渉基地局において制御チャネル送信を限定する方法であって、
制御チャネル限定条件に従って、少なくとも１つのサブフレームについての制御チャネル送信を生成することと、ここにおいて、前記制御チャネル限定条件に関する限定情報は、少なくとも１つのユーザ装置（ＵＥ）に、サービング基地局によってブロードキャストされ、前記限定情報は、制御チャネル限定タイプを示し、前記制御チャネル送信を生成することはさらに、前記少なくとも１つのサブフレーム中の非連続的な制御チャネル要素（ＣＣＥ）への前記制御チャネルのスケーリングを限定することを含み、前記非連続的なＣＣＥ内の未使用のＣＣＥによって形成されるギャップが、前記制御チャネルに関連するアグリゲーションレベルを示すように構成される、
前記干渉基地局によって、前記干渉基地局と関連する制御チャネルを検出するために前記少なくとも１つのサブフレームを復号するために、前記少なくとも１つのＵＥに前記制御チャネル送信を送信することと、前記復号することは、前記制御チャネル限定タイプに少なくとも部分的に合致する、
を備える、方法。
【請求項１３】
前記制御チャネル送信を生成することはさらに、前記少なくとも１つのサブフレーム中の制御チャネル送信の数を限定することを含む、請求項１２に記載の方法。
【請求項１４】
前記制御チャネル送信を生成することはさらに、前記制御チャネル送信において、少なくとも１つのダウンリンク制御情報（ＤＣＩ）フォーマットのダウンリンクグラントの数を限定することを含む、請求項１２に記載の方法。
【請求項１５】
前記制御チャネル送信を生成することはさらに、前記制御チャネル送信に関連するアグリゲーションレベルを限定することを含む、請求項１２に記載の方法。
【請求項１６】
前記制御チャネル送信を生成することはさらに、前記制御チャネル送信に関連する検索空間を限定することを含む、請求項１２に記載の方法。
【請求項１７】
前記検索空間を限定することは、アグリゲーションレベルに基づいて、前記隣接している基地局に関連する各無線ネットワーク一時識別子（ＲＮＴＩ）に関して前記検索空間を限定することを含む、請求項１６に記載の方法。
【請求項１８】
前記検索空間を限定することは、オーバーラップしていない制御チャネル要素（ＣＣＥ）位置のセットに前記検索空間を限定するために、少なくとも１つの隣接している基地局と協調することを含む、請求項１６に記載の方法。
【請求項１９】
前記制御チャネル限定条件は、１つ以上のユーザ装置による前記少なくとも１つのサブフレーム中の前記制御チャネル送信の前記復号を限定する、請求項１２に記載の方法。
【請求項２０】
前記制御チャネル送信は、物理ダウンリンク制御チャネル（ＰＤＣＣＨ）送信に対応する、請求項１２に記載の方法。
【請求項２１】
制御チャネル送信を限定するための装置であって、
制御チャネル限定条件に従って、少なくとも１つのサブフレームについての制御チャネル送信を生成することと、ここにおいて、前記制御チャネル限定条件に関する限定情報は、少なくとも１つのユーザ装置（ＵＥ）に、サービング基地局によってブロードキャストされ、前記限定情報は、制御チャネル限定タイプを示し、前記制御チャネル限定条件は、前記少なくとも１つのサブフレーム中の非連続的な制御チャネル要素（ＣＣＥ）への前記制御チャネルのスケーリングに対する限定を含み、前記非連続的なＣＣＥ内の未使用のＣＣＥによって形成されるギャップが、前記制御チャネルに関連するアグリゲーションレベルを示すように構成される、
干渉基地局によって、干渉基地局と関連する制御チャネルを検出するために前記少なくとも１つのサブフレームを復号するために、前記少なくとも１つのＵＥに前記制御チャネル送信を送信することと、前記復号することは、前記制御チャネル限定タイプに少なくとも部分的に合致する、
を行うように構成された制御チャネル限定コンポーネント
を備える、装置。
【請求項２２】
前記制御チャネル送信を生成するために、前記制御チャネル限定コンポーネントはさらに、前記少なくとも１つのサブフレーム中の制御チャネル送信の数を限定するように構成される、請求項２１に記載の装置。
【請求項２３】
前記制御チャネル送信を生成するために、前記制御チャネル限定コンポーネントはさらに、前記制御チャネル送信中の少なくとも１つのダウンリンク制御情報（ＤＣＩ）フォーマットのダウンリンクグラントの数および前記制御チャネル送信に関連するアグリゲーションレベルの一方または両方を限定するように構成される、請求項２１に記載の装置。
【請求項２４】
前記制御チャネル送信を生成するために、前記制御チャネル限定コンポーネントはさらに、非連続的な制御チャネル要素（ＣＣＥ）位置のセットに検索空間を限定するために、少なくとも１つの隣接している基地局と少なくとも協調することによって、前記制御チャネル送信に関連する前記検索空間を限定するように構成される、請求項２１に記載の装置。